(57)【要約】【課題】  運転時の騒音の発生を防止できる貯湯式給湯システムを提供することを目的とする。【解決手段】  本発明の貯湯式給湯システム１０は、貯湯タンク１４と、熱源機６８と、貯湯タンク１４と熱源機７０の間で温水を循環させる循環経路７６と、貯湯タンク１４に給水する給水経路２４と、貯湯タンク１４から給湯する給湯経路２４と、制御手段１４６を備えている。熱源機７０はファン７１を備え、ファン７１の単位時間当たりの回転数の増加に伴って単位時間当たりの加熱量が増加するように調整されている。制御手段１４６は、ファン７１の単位時間当たりの回転数には制限を加えない通常運転モードと、ファン７１の単位時間当たりの回転数を所定の騒音基準回転数を超えない回転数に制限する静音運転モードを備えており、いずれかの運転モードを選択して実行する処理手段を備えていることを特徴とする。【選択図】図３
2011007393.tif 000002
【特許請求の範囲】
【請求項１】
貯湯タンクと、
熱源機と、
貯湯タンクと熱源機の間で温水を循環させる循環経路と、
貯湯タンクに給水する給水経路と、
貯湯タンクから給湯する給湯経路と、
制御手段を備えており、
前記熱源機は、燃焼用空気を供給するファンを備えており、ファンの単位時間当たりの回転数の増加に伴って単位時間当たりの加熱量が増加する特性を備えており、
前記制御手段は、
第１開始条件を満たした時に熱源機の運転を開始し、運転中のファンの単位時間当たりの回転数に制限を加えない通常運転モードと、
第２開始条件を満たした時に熱源機の運転を開始し、運転中のファンの単位時間当たりの回転数を騒音基準回転数を超えない回転数に制限する静音運転モードと、
いずれかの運転モードを選択して実行する処理手段を備えていることを特徴とする貯湯式給湯システム。
【請求項２】
前記第１開始条件は、貯湯タンク内の第１位置における温水温度が所定温度を下回った場合であり、
前記第２開始条件は、貯湯タンク内の第２位置における温水温度が前記所定温度を下回った場合であり、
前記第１位置は前記第２位置より高い位置にあることを特徴とする請求項１の貯湯式給湯システム。
【請求項３】
前記第１開始条件は、貯湯タンク内の所定位置における温水温度が第１開始温度を下回った場合であり、
前記第２開始条件は、前記所定位置における温水温度が第２開始温度を下回った場合であり、
前記第２開始温度は前記第１開始温度より高いことを特徴とする請求項１の貯湯式給湯システム。
【請求項４】
前記第１開始条件は、貯湯タンク内の第１位置における温水温度が第１開始温度を下回った場合であり、
前記第２開始条件は、貯湯タンク内の第２位置における温水温度が第２開始温度を下回った場合であり、
前記第１位置は前記第２位置より高い位置にあり、かつ、前記第２開始温度は前記第１開始温度より高いことを特徴とする請求項１の貯湯式給湯システム。
【請求項５】
請求項１から４のいずれか１項に記載の貯湯式給湯システムと、
発電装置と、
発電装置が発生する熱を入力する熱回収用熱交換器と、
貯湯タンクと熱回収用熱交換器の間で温水を循環させる第２循環経路と、
を備えているコージェネレーションシステム。
【発明の詳細な説明】
【技術分野】
【０００１】
本発明は、温水を貯湯しておく貯湯タンクを備えている貯湯式給湯システムに関する。
【背景技術】
【０００２】
貯湯タンクと、熱源機と、貯湯タンクと熱源機の間で温水を循環させる循環経路を備えている貯湯式給湯システムが存在する。この種の貯湯式給湯システムは、貯湯タンクに貯湯している温水の温度が低下した時に、循環経路に温水を循環させ、熱源機で加熱する。この結果、熱源機で加熱された温水が貯湯タンクに戻り、貯湯タンクに貯湯している温水の温度が上昇する。
給湯運転時には、貯湯タンクから温水を送り出し、冷水と混合し、予め設定されている温度に調温された温水を給湯する。給湯運転したために貯湯タンクに貯湯している温水の温度が低下した時には、循環経路に温水を循環させて熱源機で加熱する。
この型式の貯湯式給湯システムは、熱源機以外の熱源で加熱した温水を貯湯タンクに貯湯しておくシステムと併用するときに特に有用である。例えば発電時に発生する熱で加熱した温水を貯湯タンクに貯湯しておく場合、あるいは太陽熱で加熱した温水を貯湯タンクに貯湯しておく場合等に特に有用である。
【０００３】
上記形式の貯湯式給湯システムの熱源機は、燃焼用空気を供給するファンを備えている。この種の熱源機は、ファンの単位時間当たりの回転数が増加すると、単位時間当たりに供給される燃焼用空気量が増加し、それに伴って単位時間当たりの加熱量が増加する特性を備えている。熱源機の単位時間当たりの加熱量を増加させるためにファンの単位時間当たりの回転数を増加させると、ファンの回転に伴う振動音や風切り音が大きくなり、騒音の原因となることがある。
【０００４】
上記騒音の問題に対する技術が特許文献１に開示されている。特許文献１には、複数の熱源機を並設し、運転する熱源機の数を増減することで単位時間当たりの加熱量を増減する特性を備える熱源ユニットが開示されている。特許文献１の技術では、運転中の熱源機のファンの単位時間当たりの回転数が騒音発生の基準となる騒音基準回転数に達する前に、運転する熱源機の数を増やすことによって単位時間当たりの加熱量を増加する。ファン回転数の上昇に伴って騒音が発生する現象を抑えることができる。
【先行技術文献】
【特許文献】
【０００５】
【特許文献１】特開２００５−１１４３２３号公報
【発明の概要】
【発明が解決しようとする課題】
【０００６】
特許文献１の技術では、運転する熱源機の数を増減する必要がある。しかしながら、熱源機の運転開始動作（点火動作）を行う際にも騒音は発生する。一部の熱源機を頻繁に運転開始及び終了させる必要のある特許文献１の技術では、ファンの運転に伴う騒音は防止できても、熱源機の運転開始動作に伴う騒音の発生を防止できず、結局運転中の騒音を十分に防止することができない。
【０００７】
本発明は、前記事情に鑑みてなされたものであり、運転時の騒音の発生を防止できる貯湯式給湯システムを提供することを目的とする。
【課題を解決するための手段】
【０００８】
本発明の貯湯式給湯システムは、貯湯タンクと、熱源機と、貯湯タンクと熱源機の間で温水を循環させる循環経路と、貯湯タンクに給水する給水経路と、貯湯タンクから給湯する給湯経路と、制御手段を備えている。
熱源機は、燃焼用空気を供給するファンを備えており、ファンの単位時間当たりの回転数の増加に伴って単位時間当たりの加熱量が増加する特性を備えている。
制御手段は、第１開始条件を満たした時に熱源機の運転を開始し、運転中のファンの単位時間当たりの回転数に制限を加えない通常運転モードと、第２開始条件を満たした時に熱源機の運転を開始し、運転中のファンの単位時間当たりの回転数を騒音基準回転数を超えない回転数に制限する静音運転モードを備えており、いずれかの運転モードを選択して実行する処理手段を備えている。
通常運転モードで実行する単位時間当たりの回転数に制限を加えないファンの運転状態は、ファンの単位時間当たりの回転数をファンの能力の最大回転数で維持する状態と、ファンの単位時間当たりの回転数をファンの能力の範囲内で変動させる状態のいずれも含む。
静音運転モードで実行する単位時間当たりの回転数を騒音基準回転数を超えない回転数に制限するファンの運転状態とは、ファンの単位時間当たりの回転数を騒音基準回転数を超えない回転数に維持して運転する状態と、ファンの単位時間当たりの回転数の上限を騒音基準回転数とし、その回転数を超えない範囲内で回転数を変動させる状態のいずれも含む。
騒音基準回転数とは、ファンの単位時間当たりの回転数のうち、騒音が発生しない範囲の最大の回転数を言う。
【０００９】
本発明の貯湯式給湯システムによると、通常運転モードと静音運転モードを選択して熱源機を運転する。
通常運転モードでは、ファンの単位時間当たりの回転数に制限を加えずに熱源機を運転する。必要な加熱量を得ることができ、短時間で貯湯タンク内の温水温度を上昇させる。湯切れ現象の発生を防止できる。静音運転モードでは、ファンの単位時間当たりの回転数の上限を騒音基準回転数を超えないように制限して熱源機を運転する。本発明の貯湯式給湯システムを静音運転モードで運転させると、熱源機の運転に伴う騒音の発生を防止することができる。ファン回転数を制約するので、加熱量が不足することがあり、貯湯タンク内の温水温度を上昇させるのに時間を要することになる。静音運転モードでの熱源機の運転を開始する第２開始条件を適当に設定することによって、湯切れ現象の発生を防止できる。騒音の発生と湯切れの発生をともに防止することができる。
【００１０】
上記の貯湯式給湯システムにおいて、第１開始条件を、貯湯タンク内の第１位置における温水温度が所定温度を下回った場合とし、第２開始条件を、貯湯タンク内の第２位置における温水温度が前記所定温度を下回った場合とすることができる。この場合、第１位置は第２位置より高い位置に設定する。
ここで、所定温度を下回ることとは、所定温度以下になることと所定温度より低くなることのいずれも含む。以下同様とする。
【００１１】
貯湯タンク内に貯湯される温水は、最上部が一番高温となり、最下部が一番低温となる温度成層を形成することが知られている。そのため、同じ時点の貯湯タンク内では、より高い位置の温水の温度ほど高温となる。
上記貯湯式給湯システムによると、通常運転モードと静音運転モードとで、熱源機の運転開始の基準となる貯湯タンク内の温水の温度を検出する位置が異なる。通常運転モードにおける運転を開始する温度検出位置（第１位置）は、静音運転モードにおける運転を開始する温度検出位置（第２位置）より高い位置にある。一方、熱源機の運転開始の基準となる開始温度は、２つの運転モード間で共通している。
上記システムでは、静音運転モードでは、第１位置より低い第２位置での温水温度が所定温度を下回った時に熱源機を運転させる。静音運転モードは、通常運転モードより早いタイミングで熱源機の運転を開始する。静音運転モードでは、熱源機の単位時間当たりの加熱量（火力）は通常運転モードより小さくなるものの、通常運転モードに比べて早期に温水の加熱を開始させるため、利用者の給湯要求に十分に応じられるだけの温度の温水を貯湯タンク内に蓄えることが可能になる。騒音の発生を抑えながらも利用者の給湯要求に十分応じられる運転を行うことができる。
【００１２】
上記の貯湯式給湯システムにおいて、第１開始条件を、貯湯タンク内の所定位置における温水温度が第１開始温度を下回った場合とし、第２開始条件を、前記所定位置における温水温度が第２開始温度を下回った場合とすることができる。この場合、第２開始温度は第１開始温度より高く設定する。
【００１３】
上記貯湯式給湯システムでは、通常運転モードと静音運転モードとで、貯湯タンク内の温水の温度を検出する位置は共通する。一方、静音運転モードでの熱源機の運転開始温度（第２開始温度）は、通常運転モードでの熱源機の運転開始温度（第１開始温度）より高い。
静音運転モードでは、貯湯タンク内の所定位置における温水の温度が、第１開始温度より高い第２開始温度を下回った場合に熱源機の運転を開始させる。従って、静音運転モードでは、通常運転モードより早いタイミングで熱源機の運転が開始される。この場合も、上記の場合同様に、静音運転モードでは、通常運転モードに比べて早期に貯湯タンク内の温水の加熱を開始するため、騒音の発生を抑えながら、利用者の給湯要求に十分に応じられるだけの温度の温水を貯湯タンク内に蓄えることが可能になる。
【００１４】
上記の貯湯式給湯システムにおいて、第１開始条件を、貯湯タンク内の第１位置における温水温度が第１開始温度を下回った場合とし、第２開始条件を、貯湯タンク内の第２位置における温水温度が第２開始温度を下回った場合とすることができる。この場合、第１位置は第２位置より高い位置に設定し、かつ、第２開始温度は第１開始温度より高く設定する。
【００１５】
上記貯湯式給湯システムでは、通常運転モードでの温度検出位置（第１位置）は、静音運転モードでの温度検出位置（第２位置）より高い位置にある。さらに、静音運転モードでの熱源機の運転開始温度（第２開始温度）は、通常運転モードでの熱源機の運転開始温度（第１開始温度）より高い。
本システムの静音運転モードの場合、より早いタイミングで熱源機の運転が開始される。そのため、騒音の発生を抑えながら、利用者の給湯要求に十分に応じられるだけの温度の温水を貯湯タンク内に一層蓄えやすくなる。
【００１６】
この貯湯式給湯システムは、発電と給湯の両要求に応えられるコージェネレーションシステムに組みこむことが好ましい。この場合のコージェネレーションシステムは、発電装置と、発電装置が発生する熱を入力する熱回収用熱交換器と、貯湯タンクと熱回収用熱交換器の間で温水を循環させる第２循環経路を備えている。
【００１７】
このコージェネレーションシステムでは、発電装置が発生する熱を利用して、貯湯タンク内の温水を加熱する。それにより、エネルギー効率の高い熱電併給システムを構築することができる。
【図面の簡単な説明】
【００１８】
【図１】実施例のコージェネレーションシステムの系統図。
【図２】蓄熱運転中の温水の流れを説明するための図。
【図３】加熱運転中の温水の流れを説明するための図。
【図４】加熱運転中の処理手順を示すフローチャート。
【図５】静音運転モードと通常運転モードの加熱運転の具体例を示す図。
【図６】給湯運転中の温水の流れを説明するための図。
【図７】給湯運転中の処理手順を示すフローチャート。
【図８】湯張り運転中の温水の流れを説明するための図。
【図９】湯張り運転中の処理手順を示すフローチャート。
【図１０】静音運転モードと通常運転モードの加熱運転の他の具体例を示す図。
【発明を実施するための形態】
【００１９】
以下に説明する実施例の技術的特徴を列挙する。
（特徴１）静音運転モードの実行中に給湯運転が行われた場合、給湯要求された温水温度と出湯量によっては、貯湯タンクから給湯に伴って流出する熱量が、循環経路から貯湯タンクに流入する熱量より大きくなってしまう場合がある。その場合、貯湯タンク内の温水が不足して給湯不能となってしまうことがある。温水が不足して給湯不能となることを湯切れという。
本発明の貯湯式給湯システムにおける制御手段は、静音運転モードでの運転中に上記湯切れが起こった場合に、
静音運転モードにおける熱源機の単位時間当たりの加熱量に応じて、貯湯タンクから給湯する温水の単位時間当たりの出湯量を制限し、貯湯タンクから給湯に伴って流出する単位時間当たりの熱量を小さくする静音優先モードと、
静音運転モードを解除して通常運転モードに切り換えて、熱源機の単位時間当たりの加熱量を上げ、貯湯タンクに流入する単位時間当たりの熱量を大きくする能力優先モードを備えており、指示された側のモードを選択して実行する処理手段を備える。
ここで、貯湯タンクから流出する熱量は（出湯温度−給水温度）×出湯流量で求められる。また、貯湯タンクに流入する熱量は（循環経路の出口温度−循環経路の入口温度）×循環流量で求められる。
（特徴２）本発明の貯湯式給湯システムにおけるファンの騒音基準回転数は、５０００ｒｐｍである。
（特徴３）本発明の貯湯式給湯システムでは、貯湯タンク内の深さ方向複数箇所の温水の温度を検出する複数のタンク内温度検出手段と、
給水経路の水温を検出する給水温度検出手段をさらに備えており、
制御手段は、風呂の湯張り運転が開始された場合に、複数のタンク内温度検出手段で検出された温度と給水温度検出手段で検出された温度と貯湯タンク内の温水量から、貯湯タンク内の温水の熱量を計算する処理手順と、給湯要求された温水の温度及び温水量と給水温度検出手段で検出された温度から、給湯に伴って要求された熱量を計算する処理手順を実行し、
貯湯タンク内の温水の熱量が、湯張りに伴って給湯要求された熱量を上回るまで熱源機を通常運転モード又は静音運転モードで運転させる。
【実施例】
【００２０】
（第１実施例）
本発明を具現化した貯湯式給湯システムを組み込んだコージェネレーションシステムの第１実施例について説明する。
図１は、本実施例に係るコージェネレーションシステムの構成を示す図である。図１に示すように、コージェネレーションシステムは、給湯ユニット１０と、発電ユニット１５０と、熱負荷１０８を備えている。発電ユニット１５０は、いわゆる燃料電池である。
【００２１】
給湯ユニット１０は、温水を貯湯しておく貯湯タンク１４と、貯湯タンク１４に水道水を給水する給水経路２４と、熱源機であるバーナ部６８と、貯湯タンク１４とバーナ部６８との間で温水を循環させるバーナ循環経路７６と、貯湯タンク１４から温水を給湯する給湯経路４６と、給湯ユニット１０の動作を制御するコントローラ１４６と、コントローラ１４６に接続されているリモコン１４８を備えている。
コントローラ１４６は、制御プログラムを記憶している。コントローラ１４６には、リモコン１４８の操作信号と、以下で説明する各流量センサの検出信号と、各サーミスタの検出信号等が入力される。コントローラ１４６は、入力された信号と、記憶している制御プログラムに基づいて、以下に説明する各種ポンプ、各種弁、バーナ等の動作を制御する。リモコン１４８には、運転スイッチ、給湯温度設定スイッチ、風呂湯張りスイッチ、静音運転モード設定スイッチ、風呂追い焚きスイッチ、風呂湯張りスイッチ等の各種スイッチが設けられている。また、本実施例では、このリモコン１４８を操作することで、後述する静音運転モードと通常運転モードの選択、静音運転モードにおける静音優先モードと能力優先モードの選択等の各種運転モードの設定を行うことができる。
【００２２】
貯湯タンク１４には、タンク上サーミスタ１５と、第１タンクサーミスタ１６と、第２タンクサーミスタ１８と、第３タンクサーミスタ２０と、第４タンクサーミスタ２２が設けられている。各サーミスタ１５、１６、１８、２０、２２は、縦方向にほぼ均等に配置されている。サーミスタ１５、１６、１８、２０、２２は、貯湯タンク１４内の温水温度を、それぞれの深さにおいて検出する。各サーミスタ１５、１６、１８、２０、２２の検出信号は、コントローラ１４６に出力される。
【００２３】
給水経路２４は、貯湯タンク１４の下部（詳しくは底部）に接続されている。給水経路２４には、その上流側から順に、減圧弁２６と、給水サーミスタ２８と、給湯水量センサ３０と、給湯水量サーボ３２と、混合サーボ３４とが設けられている。
減圧弁２６は、給水圧力を調整するものである。減圧弁２６は、下流側圧力が所定値を下回ると開弁する。後述する給湯栓４４が開かれると、減圧弁２６が開弁して貯湯タンク１４や混合経路３６に水道水が給水される。減圧弁２６により、本来高圧である水道水の給水圧力が減圧され、貯湯タンク１４が損傷しない程度の給水圧力に調整される。
給水サーミスタ２８は、給水される水道水の温度を検出する。給湯水量センサ３０は、給水される水道水の流量を検出する。給水サーミスタ２８と給湯水量センサ３０の検出信号は、コントローラ１４６に出力される。
給湯水量サーボ３２は、ステッピングモータを内蔵する電動型の流量調整弁である。給湯水量サーボ３２の開度は、コントローラ１４６によって制御される。コントローラ１４６は、給湯水量サーボ３２の開度を制御することによって、外部から給湯ユニット１０に給水される水道水の流量を調整する。
混合サーボ３４は、ステッピングモータを内蔵する電動型の混合弁である。コントローラ１４６は、混合サーボ３４の開度を制御することによって、外部から給湯ユニット１０に給水された水道水のうち、貯湯タンク１４側へ流れる流量と、混合経路３６側へ流れる流量の割合を調整する。貯湯タンク１４側に流れた水道水は貯湯タンク１４に流入し、同じ量だけ貯湯タンク１４から給湯経路４６に温水が流出する。混合経路３６側へ流れた水道水は、給湯経路４６を流れる温水に混合される。混合サーボ３４は、給湯経路４６を流れる温水に水道水を混合するとともに、給湯経路４６を流れる温水に対して混合する水道水の比を調整する。
給水経路２４には、混合サーボ３４の下流側に、排水経路３８が接続されている。排水経路３８に、圧力開放経路４２が接続されている。圧力開放経路４２は、コージェネレーションシステムの外部に開放されている。排水経路３８には、排水弁４０が設けられている。排水弁４０の開閉は手動で行う。排水弁４０が開かれると、貯湯タンク１４内の温水が排水経路３８を経て排水される。
【００２４】
バーナ部６８は、バーナ７０と、ファン７１と、潜熱熱交換器７２と、顕熱熱交換器７４を備えている。バーナ部６８では、バーナ循環経路７６が、潜熱熱交換器７２と顕熱熱交換器７４を順に通過するように配設されている。
バーナ７０は、可燃性ガスを燃焼させる。ファン７１は、バーナ７０に燃焼用空気を供給する。バーナ７０は、ファン７１の単位時間当たりの回転数の増加に伴って単位時間当たりの加熱量が増加する特性を備えている。ファン７１の単位時間当たりの回転数は、コントローラ１４６によって制御されている。本実施例では、静音運転モードが設定されている場合には、コントローラ１４６は、ファン７１の単位時間当たりの回転数を騒音基準回転数を超えない回転数とし、騒音基準回転数を超えない範囲内で単位時間当たりのファン回転数を制御する。この場合、バーナ７０の単位時間当たりの加熱量は、ファン７１を騒音基準回転数で回転させた場合の加熱量を超えない範囲内で、ファン７１の単位時間当たりの回転数の変動に伴って変動する。もっとも、本実施例では、ファン７１は、バーナ７０による加熱後の温水の温度（バーナ出口サーミスタ８８の検出温度）がその許容温度を超える温度にならない限りは、騒音基準回転数を超えない回転数を維持して運転を行うように制御される。前記バーナ出口サーミスタ８８の検出温度の許容温度は任意とすることができ、例えば８０℃とすることができる。
一方、通常運転モードが設定されている場合には、コントローラ１４６は、ファン７１の単位時間当たりの回転数に静音運転モードのような制限を加えず、ファン７１の能力の範囲内で変動できるように制御する。
ここで、騒音基準回転数とは、ファンの単位時間当たりの回転数のうち、騒音が発生しない範囲の最大の回転数を言う。本実施例での騒音基準回転数は、例えば５０００ｒｐｍであるが、この値に限られるものではない。
潜熱熱交換器７２は、バーナ７０で発生する燃焼排ガスの熱によって、バーナ循環経路７６内の温水を予備加熱する。顕熱熱交換器７４は、バーナ７０の燃焼熱によって、バーナ循環経路７６内の温水を再加熱する。
潜熱熱交換器７２には、ドレンを排出又は回収するためのドレン経路９２が接続されている。ドレン経路９２には、中和器９４が設けられている。中和器９４内には、炭酸カルシウムが充填されている。潜熱熱交換器７２で発生した酸性のドレンは、中和器９４を通過することによって、ｐＨ６から７に中和される。ドレン経路９２の他端は、圧力開放経路４２に接続されている。中和されたドレンは、ドレン経路９２から圧力開放経路４２を通じて、外部に排出される。
【００２５】
バーナ循環経路７６は、貯湯タンク１４内の温水を、貯湯タンク１４とバーナ部６８との間で循環させる。バーナ循環経路７６は、貯湯タンク１４からバーナ部６８へ向かうバーナ循環往路７６ａと、バーナ部６８から貯湯タンク１４へ向かうバーナ循環復路７６ｂを備えている。
バーナ循環往路７６ａは、貯湯タンク１４の中間部（第１タンクサーミスタ１６と第２タンクサーミスタ１８との中間）と、潜熱熱交換器７２の上流端とを接続している。バーナ循環往路７６ａには、バーナ入口サーミスタ８１と、バーナ循環ポンプ８０と、バーナ循環流量センサ８２と、バーナ循環流量サーボ８４が設けられている。バーナ入口サーミスタ８１は、バーナ循環往路７６ａを流れる温水の温度を検出する。バーナ入口サーミスタ８１は、貯湯タンク１４の近傍に配置されている。バーナ入口サーミスタ８１が検出する温度は、貯湯タンク１４からバーナ循環往路７６ａに流出する温水の温度に実質的に等しい。バーナ入口サーミスタ８１の検出信号は、コントローラ１４６に出力される。バーナ循環ポンプ８０は、バーナ循環経路７６内の温水を循環させる。バーナ循環ポンプ８０の動作は、コントローラ１４６によって制御される。バーナ循環流量センサ８２は、バーナ循環経路７６を流れている温水の流量を検出する。バーナ循環流量センサ８２が検出する流量は、貯湯タンク１４からバーナ循環往路７６ａに流出している温水の流量およびバーナ循環復路７６ｂから貯湯タンク１４に流入している温水の流量に実質的に等しい。バーナ循環流量センサ８２の検出信号は、コントローラ１４６に出力される。
バーナ循環流量サーボ８４はステッピングモータを内蔵しており、ステッピングモータを駆動することによってその開度を調整することができる流量調整弁である。バーナ循環流量サーボ８４の開度はコントローラ１４６によって制御される。コントローラ１４６は、バーナ循環流量サーボ８４の開度を調整することによって、バーナ循環経路７６を流れる温水の流量を調整する。なお、バーナ循環経路７６を流れる温水の流量を調整するにあたっては、バーナ循環流量サーボ８４の開度を調整することに代えて、バーナ循環ポンプ８０の回転数を調整する構成としてもよい。
【００２６】
バーナ循環復路７６ｂは、顕熱熱交換器７４の下流端と、貯湯タンク１４の天井部とを接続している。バーナ循環復路７６ｂには、バーナ出口サーミスタ８８が設けられている。バーナ出口サーミスタ８８は、バーナ部６８を通過した後の温水の温度を検出する。バーナ出口サーミスタ８８が検出する温度は、バーナ循環復路７６ｂを通って貯湯タンク１４に流入する温水の温度に実質的に等しい。バーナ出口サーミスタ８８の検出信号は、コントローラ１４６に出力される。
【００２７】
貯湯タンク１４の上部（詳しくは天井部）には、貯湯タンク１４内の温水を給湯栓４４や浴槽１２８に給湯する給湯経路４６が接続されている。給湯栓４４は、熱負荷１０８の一つであって、浴室、洗面所、台所等にそれぞれ配設されている。給湯経路４６には、貯湯タンク１４側から順に、圧力逃がし弁４８と、温水電磁弁５０と、高温サーミスタ５２と、負圧作動弁５３と、出湯サーミスタ５４が設けられている。また、給湯経路４６には、先述の混合経路３６が接続されている。混合経路３６は、高温サーミスタ５２と負圧作動弁５３の間に接続されている。
圧力逃がし弁４８は、各流路内及び貯湯タンク１４内の圧力が所定値以上となったときに開弁し、各流路内及び貯湯タンク１４内の高圧の空気を外部に逃がすことができ、各流路内及び貯湯タンク１４内の圧力が過剰に上昇することを防止する。圧力逃がし弁４８の出口側は、圧力開放経路４２に接続されている。圧力逃がし弁４８は、上記の場合に開弁するほか、手動で開弁させることもできる。
温水電磁弁５０は、コントローラ１４６によって開閉される。コントローラ１４６は、給湯水量センサ３０の検出流量に基づいて給湯の開始／終了を判断する。給湯動作開始のために給湯栓４４が開かれると、給水経路２４内に流入した水が混合経路３６を通り、給湯経路４６を通って給湯栓４４から出る。このときの給湯水量センサ３０の検出流量が所定値以上となると、コントローラ１４６は給湯が開始されたと判断し、温水電磁弁５０を開弁する。温水電磁弁５０が開弁されると、給水経路２４内に流入した水は貯湯タンク１４にも供給されるようになる。給湯栓４４が閉じられて、給湯水量センサ３０の検出流量が所定値以下になると、コントローラ１４６は給湯が終了したと判断して温水電磁弁５０を閉弁する。
高温サーミスタ５２は、混合経路３６の接続位置よりも上流側の位置において、給湯経路４６を流れる温水の温度を検出する。高温サーミスタ５２が検出する温度は、貯湯タンク１４から給湯経路４６に流出した温水の温度に実質的に等しい。
負圧作動弁５３は、断水時に階下給湯が行われた場合のように、給湯経路４６内及び貯湯タンク１４内が負圧になる場合に作動し、給湯経路４６内に空気を入れて貯湯タンク１４の負圧による破壊を防止する。
出湯サーミスタ５４は、混合経路３６の接続位置よりも下流側の位置において、給湯経路４６を流れる温水の温度を検出する。出湯サーミスタ５４は、貯湯タンク１４からの温水と混合経路３６からの水道水との混合水の温度を検出する。高温サーミスタ５２と出湯サーミスタ５４の検出信号は、コントローラ１４６に出力される。
【００２８】
給湯経路４６の給湯サーミスタ５４の下流側には、浴槽１２８に温水を供給する湯張り経路１４０が接続されている。湯張り経路１４０には、湯張り量センサ１４２、湯張り弁１４４が介装されている。湯張り量センサ１４２は、湯張り経路１４０を通過する温水の流量を検出する。湯張り量センサ１４２の検出信号はコントローラ１４６に出力される。湯張り弁１４４の開閉はコントローラ１４６によって制御されている。湯張り弁１４４は、浴槽１２８に湯張りを行う湯張り運転時に開弁される。
この浴槽１２８と湯張り経路１４０を含む風呂装置では、図示しない風呂用熱交換器と風呂循環経路を備え、バーナ部６８で加熱された温水を風呂用熱交換器に供給して浴槽内の温水の追い焚きを行う追い焚き運転を行うこともできる。
【００２９】
貯湯タンク１４には、貯湯タンク１４と熱回収用熱交換器１５４との間で温水を循環させる熱回収循環経路５６が設けられている。発電ユニット１５０には、発電ユニット１５０と熱回収用熱交換器１５４との間で熱媒体を循環させる熱媒循環経路１５２が設けられている。熱回収循環経路５６と、熱媒循環経路１５２はともに熱回収用熱交換器１５４を通過するように配設されている。熱回収用熱交換器１５４は、熱媒循環経路１５２を流れる熱媒と、熱回収循環経路５６を流れる温水との間で、熱交換（熱伝達）を行う。
熱回収循環経路５６は、貯湯タンク１４から熱回収用熱交換器１５４へ向かう熱回収循環往路５６ａと、熱回収用熱交換器１５４から貯湯タンク１４へ向かう熱回収循環復路５６ｂを備えている。
熱回収循環往路５６ａは、貯湯タンク１４の下部（詳しくは底部）と、熱回収用熱交換器１５４の上流端とを接続している。熱回収循環往路５６ａには、熱回収循環ポンプ５８と、熱回収流量センサ５９と、循環往路サーミスタ６０が設けられている。
熱回収循環ポンプ５８は、熱回収循環経路５６内の温水を循環させる。熱回収循環ポンプ５８の動作は、コントローラ１４６によって制御される。熱回収流量センサ５９は、熱回収循環経路５６を流れている温水の流量を検出する。循環往路サーミスタ６０は、熱回収循環往路５６ａを流れる温水の温度を検出する。熱回収流量センサ５９の検出信号、及び、循環往路サーミスタ６０の検出信号は、コントローラ１４６に出力される。
熱回収循環復路５６ｂは、熱回収用熱交換器１５４の下流端と、貯湯タンク１４の上部（詳しくは天井部）とを接続している。熱回収循環復路５６ｂには、循環復路サーミスタ６２が設けられている。循環復路サーミスタ６２は、熱回収用熱交換器１５４を通過した後の温水の温度を検出する。循環復路サーミスタ６２の検出信号はコントローラ１４６に出力される。
【００３０】
また、本実施例のコージェネレーションシステムは、熱負荷１０８として、上記した給水栓４４、浴槽１２８のほかに、図示しない暖房装置を備えている。前記暖房装置では、前記バーナ部６８で加熱された温水の熱を液々熱交換器を介して暖房端末機内に供給して暖房端末機から温風を吹き出させる暖房運転を行うことができる。
また、上記浴槽１２８と湯張り経路１４０を含む風呂装置では、バーナ部６８で加熱された温水の熱を液々熱交換器を介して図示しない風呂用熱交換器に供給して浴槽内の温水の追い焚きを行う追い焚き運転を行うこともできる。
【００３１】
次に、本実施例の給湯ユニット１０で行われる各運転についてそれぞれ説明する。
【００３２】
（蓄熱運転）
図２を参照して蓄熱運転について説明する。図２は、蓄熱運転におけるコージェネレーションシステムの動作の概要を示す。蓄熱運転では、図２中に太線で示す経路内を温水や熱媒が流通する。
発電ユニット１５０の発電運転に伴って発生した発電熱によって、熱媒循環経路１５２内を循環する熱媒が加熱される。一方、給湯ユニット１０では、熱回収循環ポンプ５８が駆動され、貯湯タンク１４内の温水が熱回収循環経路５６を通って循環する。貯湯タンク１４から熱回収循環往路５６ａには、貯湯タンク１４の底部から比較的に温度の低い温水が流出する。貯湯タンク１４から熱回収循環往路５６ａに流出した温水は、熱回収用熱交換器１５４を通過する間に、熱媒循環経路１５２内を循環する熱媒の熱によって加熱される。加熱された温水は熱回収循環復路５６ｂを経て貯湯タンク１４の天井部へ戻される。貯湯タンク１４内の温水は上部から昇温していく。このように、コージェネレーションシステムでは、発電ユニット１５０が発電に伴って発生した発電熱を、貯湯タンク１４内に蓄熱していく。貯湯タンク１４内に蓄熱された熱は、後述する給湯運転、暖房運転、風呂湯張り運転、風呂追焚き運転によって消費される。
一方において、発電ユニット１５０の発電熱を蓄熱するだけでは、貯湯タンク１４の温水を十分に加熱できない場合がある。この場合、次に説明する加熱運転が実施される。
【００３３】
（加熱運転）
図３、図４を参照して加熱運転について説明する。図３は、加熱運転によるコージェネレーションシステムの動作の概要を示す。加熱運転では、図３中に太線で示す経路内を温水が流通する。図４は、加熱運転のフローチャートである。図４に示すフローに沿って、加熱運転における処理の流れを説明する。
ステップＳ２では、コントローラ１４６は、リモコン１４８で設定されている運転モードが静音運転モードであるか否か判別する。設定されている運転モードが静音運転モードである場合、ステップＳ２でＹＥＳと判別される。この場合はステップＳ４へ進む。一方、設定されている運転モードが通常運転モードである場合、ステップＳ２でＮＯと判別される。この場合はステップＳ１４へ進む。
【００３４】
ステップＳ４以降は静音運転モードの場合の加熱運転のフローである。ステップＳ４では、コントローラ１４６は、貯湯タンク１４に設けられた第１タンクサーミスタ１６の検出温度が、リモコン１４８によって設定されている給湯設定温度に５℃を加算した温度以下か否かを判別する。
第１タンクサーミスタ１６の検出温度が、前記給湯設定温度に５℃を加算した温度以下であった場合（Ｓ４：ＹＥＳ）、コントローラ１４６は加熱運転が必要であると判断する。この場合、ステップＳ６に進む。
一方、第１タンクサーミスタ１６の検出温度が、前記給湯設定温度に５℃を加算した温度を超えていた場合（Ｓ４：ＮＯ）、貯湯タンク１４内の温水温度は十分に高く、加熱運転は必要ないと判断する。この場合、加熱運転は実施されない。コントローラ１４６は、このステップＳ４の判別を定期的に行っている。
加熱運転の開始条件となる温水の温度は、前記温度には限られず、任意の温度とすることができる。従って、例えば第１タンクサーミスタ１６の検出温度が、リモコン１４８によって設定されている給湯設定温度以下の温度となった場合に加熱運転を開始させるようにすること等もできる。
【００３５】
ステップＳ６では、コントローラ１４６によって、バーナ循環ポンプ８０が駆動される。それにより、貯湯タンク１４内の温水が、バーナ循環経路７６を通じて、貯湯タンク１４とバーナ部６８との間を循環する。
続くステップＳ８では、コントローラ１４６によって、バーナ７０が点火される。このとき、ファン７１の単位時間当たりの回転数の上限は、コントローラ１４６によって、前述した騒音基準回転数を超えない回転数に制限される。従って、ファン７１の振動音や風切り音が騒音に値するレベルの音量になることはない。この場合、バーナ７０の単位時間当たりの加熱量の最大値も、上記ファン７１の単位時間の回転数の制限に伴って制限される。なお、本実施例では、バーナ７０による加熱後の温水の温度（バーナ出口サーミスタ８８の検出温度）がその許容温度を超える温度にならない限りは、騒音基準回転数を超えない回転数を維持してファン７１が運転されるようにコントローラ１４６で制御されている。バーナ７０の点火により、貯湯タンク１４からバーナ循環往路７６ａに流入した温水が、バーナ部６８で加熱された後に、貯湯タンク１４の天井部に戻される。貯湯タンク１４内の温水は上部から昇温していく。バーナ７０とファン７１の運転が開始されると、ステップＳ１０に進む。
【００３６】
ステップＳ１０では、コントローラ１４６は、第１タンクサーミスタ１６の検出温度が給湯設定温度に１０℃を加算した温度以上となったか否かを判別する。
第１タンクサーミスタ１６の検出温度が、前記給湯設定温度に１０℃を加算した温度以上であった場合（Ｓ１０：ＹＥＳ）、コントローラ１４６は貯湯タンク１４内の温水が十分に加熱されたと判断する。この場合、ステップＳ１２に進む。
一方、第１タンクサーミスタ１６の検出温度が、前記給湯設定温度に１０℃を加算した温度より小さい場合（Ｓ１０：ＮＯ）、コントローラ１４６は引き続き静音運転モードで加熱運転を継続させる。
ステップＳ１２では、コントローラ１４６によって、バーナ７０が消火され、ファン７１の運転が停止され、バーナ循環ポンプ８０が停止され、加熱運転が終了する。加熱運転によって、貯湯タンク１４の少なくとも第１タンクサーミスタ１６より上部には、給湯設定温度に１０℃を加算した温度以上に加熱された温水が確保される。
なお、上記加熱運転の終了条件となる温水の温度は、前記温度には限られず、任意の温度とすることができる。従って、例えば第１タンクサーミスタ１６の検出温度が、リモコン１４８によって設定されている給湯設定温度を１℃でも上回った場合に加熱運転を終了させるようにすることや、給湯設定温度にかかわらず所定の温度を上回った場合に加熱運転を終了させるようにすること等もできる。もっとも、安全性の確保の観点より、加熱運転の終了条件となる温水温度は７５℃〜８０℃程度を上限とすることが好ましい。
【００３７】
ステップＳ１４以降は通常運転モードの場合の加熱運転のフローである。通常運転モードの場合の加熱運転の流れも、上記した静音運転モードの場合とほぼ共通する。
ステップＳ１４では、コントローラ１４６は、貯湯タンク１４に設けられたタンク上サーミスタ１５の検出温度が、リモコン１４８によって設定されている給湯設定温度に５℃を加算した温度以下か否かを判別する。
タンク上サーミスタ１５の検出温度が、前記給湯設定温度に５℃を加算した温度以下であった場合（Ｓ１４：ＹＥＳ）、コントローラ１４６は加熱運転が必要であると判断し、ステップＳ１６に進む。
一方、タンク上サーミスタ１５の検出温度が、前記給湯設定温度に５℃を加算した温度を超えていた場合（Ｓ１４：ＮＯ）、貯湯タンク１４内の温水温度は十分に高く、加熱運転は必要ないと判断する。この場合、加熱運転は実施されない。コントローラ１４６は、このステップＳ１４の判別も定期的に行っている。
上記静音運転モードの場合と同様に、加熱運転の開始条件となる温水の温度は前記温度には限られず、任意の温度とすることができる。
【００３８】
上記静音運転モードの場合と同様に、ステップＳ１６でバーナ循環ポンプ８０が駆動され、貯湯タンク１４内の温水が、バーナ循環経路７６を通じて、貯湯タンク１４とバーナ部６８との間を循環する。
続くステップＳ１８では、コントローラ１４６によって、バーナ７０が点火される。通常運転モードでは、コントローラ１４６は、ファン７１の単位時間当たりの回転数に上記静音運転モードのような制限を加えず、ファン７１の能力の範囲内で変動させられるように制御する。バーナ７０の単位時間当たりの加熱量も、ファン７１の単位時間当たりの回転数の変動に伴って変動する。本実施例では、バーナ７０による加熱後の温水の温度（バーナ出口サーミスタ８８の検出温度）がその許容温度を超える温度にならない限りは、ファン７１の単位時間当たりの回転数を最大にして運転されるようにコントローラ１４６で制御されている。バーナ７０の点火により、貯湯タンク１４からバーナ循環往路７６ａに流入した温水が、バーナ部６８で加熱された後に、貯湯タンク１４の天井部に戻される。貯湯タンク１４内の温水は上部から昇温していく。バーナ７０とファン７１の運転が開始されると、ステップＳ２０に進む。
【００３９】
ステップＳ２０では、コントローラ１４６は、タンク上サーミスタ１５の検出温度が給湯設定温度に１０℃を加算した温度以上となったか否かを判別する。
タンク上サーミスタ１５の検出温度が、前記給湯設定温度に１０℃を加算した温度以上であった場合（Ｓ２０：ＹＥＳ）、コントローラ１４６は貯湯タンク１４内の温水が十分に加熱されたと判断する。この場合、ステップＳ２２に進む。
一方、タンク上サーミスタ１５の検出温度が、前記給湯設定温度に１０℃を加算した温度より小さい場合（Ｓ２０：ＮＯ）、コントローラ１４６は引き続き加熱運転を継続させる。
ステップＳ２２では、コントローラ１４６によって、バーナ７０が消火され、ファン７１の運転が停止され、バーナ循環ポンプ８０が停止され、加熱運転が終了する。加熱運転によって、貯湯タンク１４の少なくともタンク上サーミスタ１５より上部には、給湯設定温度に１０℃を加算した温度以上に加熱された温水が確保される。
なお、上記加熱運転の終了条件となる温水の温度も、前記温度には限られず、任意の温度とすることができる。もっとも、本実施例の貯湯タンク１４の保全の観点より、加熱運転の終了条件となる温水温度は７５℃〜８０℃程度を上限とすることが好ましい。
【００４０】
（具体例１）
上記静音運転モードと通常運転モードにおける加熱運転について、図５を参照して、その具体的な事例について比較しながら詳細に説明する。
図５は、給湯設定温度が５０℃の場合において、静音運転モードによる加熱運転が行われた場合と通常運転モードによる加熱運転が行われた場合の、タンク上サーミスタ１５と第１タンクサーミスタ１６の検出温度を表す図である。図５（ａ）が静音運転モードによる加熱運転が行われた場合を示し、図５（ｂ）が通常運転モードによる加熱運転が行われた場合を示す。図５（ａ）（ｂ）におけるグラフの縦軸は温度〔℃〕を示し、横軸は時間〔min〕を示す。図５（ａ）（ｂ）において破線で示される値はタンク上サーミスタ１５の検出温度を示し、実線で示される値は第１タンクサーミスタ１６の検出温度を示す。
【００４１】
（加熱運転開始）
本例の静音運転モードでは、第１タンクサーミスタ１６の検出温度が給湯設定温度の５０℃に５℃を加算した５５℃以下になる時点（図中Ａ）でバーナ７０を点火し、加熱を開始する。
一方、本例の通常運転モードでは、第１タンクサーミスタ１６より高い位置にあるタンク上サーミスタ１５（図３参照）の検出温度が給湯設定温度の５０℃に５℃を加算した５５℃以下になる時点（図中Ｃ）でバーナ７０を点火し、加熱を開始する。
静音運転モードと通常運転モードの両モードとも、バーナ７０が点火される基準となる温水の温度（以下「開始温度」とする。）は５５℃と共通するが、その開始温度を検出する位置が異なる。貯湯タンク１４内の温水は、最上部が一番高温、最下部が一番低温となる温度成層を形成するため、同じ時点での貯湯タンク１４内では、第１タンクサーミスタ１６より高い位置にあるタンク上サーミスタ１５の検出温度が高温となる。
第１タンクサーミスタ１６の検出温度が５５℃以下となった場合にバーナ７０を点火する静音運転モードは、タンク上サーミスタ１５の検出温度が５５℃以下となった場合にバーナ７０を点火する通常運転モードより点火のタイミングが早い。即ち、静音運転モードでは、貯湯タンク１４内に（通常運転モードに比べて）高温の温水が貯湯されている状態であっても、早めにバーナ７０を点火する。
【００４２】
（加熱運転中）
本例の静音運転モードでは、上記Ａの時点でバーナ７０が点火される。このとき、ファン７１の単位時間当たりの回転数の上限は騒音基準回転数を超えない回転数に制限されるため、ファン７１の振動音や風切り音による騒音が発生しなくなる。その一方で、バーナ７０の単位時間当たりの加熱量はファン７１の単位時間当たりの回転数にあわせた加熱量に制限される。
本例の通常運転モードでは、上記Ｃの時点でバーナ７０が点火される。ファン７１の単位時間当たりの回転数には上記静音運転モードのような制限が加えられないので、ファン７１の単位時間当たりの回転数を最大にして運転させることができる。それに伴って、バーナ７０の単位時間当たりの加熱量も最大にして運転させることができる。そのため、単位時間当たりの温度上昇幅は静音運転モードの場合に比べて大きくなる。
即ち、静音運転モードはバーナ７０の単位時間当たりの最大の加熱量が制限される関係上、目標とする温度に達するまでに通常運転モードに比べて長時間を要する。図５中のＴ１、Ｔ２に示すように、静音運転モードでは、通常運転モードより長時間バーナ７０が運転されることとなる。
【００４３】
（加熱運転終了）
本例の静音運転モードでは、第１タンクサーミスタ１６の検出温度が給湯設定温度の５０℃に１０℃を加算した６０℃以上になる時点（図中Ｂ）でバーナ７０を消火し、加熱を終了する。
一方、本例の通常運転モードでは、タンク上サーミスタ１５の検出温度が給湯設定温度の５０℃に１０℃を加算した６０℃以上になる時点（図中Ｄ）でバーナ７０を消火し、加熱を終了する。
上記加熱運転開始の場合と同様に、静音運転モードと通常運転モードの両モードとも、バーナ７０が消火される基準となる温水の温度（以下「終了温度」とする。）は６０℃と共通するが、その開始温度を検出する位置が異なる。第１タンクサーミスタ１６の検出温度が６０℃以上となった場合にバーナ７０を消火する静音運転モードは、タンク上サーミスタ１５の検出温度が６０℃以上となった場合にバーナ７０を消火する通常運転モードより消火のタイミングが遅い。即ち、静音運転モードでは、貯湯タンク１４内に（通常運転モードに比べて）より高温の温水がより多く貯湯されるまでバーナ７０を運転させる。
静音運転モードの終了時には、貯湯タンク１４内の第１タンクサーミスタ１６位置より高い位置には６０℃を上回る温度の温水が貯湯されることになる。一方、通常運転モードの終了時には、貯湯タンク１４内のタンク上サーミスタ１５より高い位置に６０℃を上回る温度の温水が貯湯される。即ち、静音運転モードでの加熱運転終了時点で貯湯タンク１４内に蓄えられた熱量は、通常運転モードでの加熱運転終了時点で貯湯タンク１４内に蓄えられた熱量よりも大きくなる。上記のようにして、静音運転モードでは、騒音の発生を抑えながらも利用者の給湯要求に十分応じられる熱量を貯湯タンク１４内に蓄える。
【００４４】
（給湯運転）
図６、図７を参照して給湯運転について説明する。図６は、給湯運転におけるコージェネレーションシステムの動作の概要を示している。給湯運転では、図６中に太線で示す経路内を温水が流通する。図７は、給湯運転のフローチャートである。図７に示すフローに沿って、給湯運転における処理の流れを説明する。
ステップＳ３０では、コントローラ１４６によって、給湯水量センサ３０の検出水量が、所定のオン水量以上か否かが判別される。給湯動作開始のために給湯栓４４が開かれると、給水経路２４内に流入した水が混合経路３６を通り、給湯経路４６を通って給湯栓４４から出る。このときの給湯水量センサ３０の検出流量が所定のオン水量以上となると、（Ｓ３０：ＹＥＳ）、コントローラ１４６は、給湯栓４４が開かれて給湯要求があったものと判断し、ステップＳ３２へ進む。一方、給湯水量センサ３０の検出流量がオン水量以上でなかった場合（Ｓ３０：ＮＯ）、コントローラ１４６は給湯栓４４が開かれて給湯要求があったものとは判断しない。前記オン水量は、例えば２．７リットル/minとすることができる。
【００４５】
ステップＳ３２では、コントローラ１４６が温水電磁弁５０を開弁する。それにより、貯湯タンク１４の上部に貯められていた温水が給湯経路４６に送り出される。また、給水経路２４内に流入した水が貯湯タンク１４にも供給されるようになる。コントローラ１４６は、出湯サーミスタ５４の検出温度がリモコン１４８で設定されている給湯設定温度となるように、混合サーボ３４の開度を調整する。
次に、ステップＳ３４では、コントローラ１４６によって、加熱運転中であるのか否かが判別される。ここにいう加熱運転とは、先に説明したバーナ部６８による加熱運転をいう。コントローラ１４６によって、加熱運転中と判断された場合（Ｓ３４：ＹＥＳ）、ステップＳ３６に進む。コントローラ１４６によって加熱運転中でないと判断された場合（Ｓ３４：ＮＯ）、貯湯タンク１４の少なくとも上部には、給湯設定温度を賄い得る温度の温水が貯湯されていることとなるため、ステップＳ５０に進み、給湯栓４４が閉められるまで給湯を行う。なお、この場合も、リモコン１４８によって静音運転モードが設定されている場合には、第１タンクサーミスタ１６の検出温度が給湯設定温度に５℃を加算した温度以下となった場合に静音運転モードによる加熱運転が随時開始される。同様に、リモコン１４８によって通常運転モードが設定されている場合には、タンク上サーミスタ１５の検出温度が給湯設定温度に５℃を加算した温度以下となった場合に通常運転モードによる加熱運転が随時開始される。
【００４６】
ステップＳ３６では、コントローラ１４６は、リモコン１４８で設定されている運転モードが静音運転モードであるか否か判別する。設定されている運転モードが静音運転モードであれば、ステップＳ３６でＹＥＳと判別される。この場合はステップＳ３８へ進む。一方、設定されている運転モードが通常運転モードであれば、ステップＳ３６でＮＯと判別される。この場合はステップＳ５０へ進み、通常運転モードでの加熱運転を継続しながら、給湯栓４４が閉められるまで給湯を行う。
【００４７】
ステップＳ３８では、コントローラ１４６は、高温サーミスタ５２の検出温度が、給湯設定温度に５℃を加算した温度以下となっているか否かを判別する。
高温サーミスタ５２の検出温度が、給湯設定温度に５℃を加算した温度以下であった場合（Ｓ３８：ＹＥＳ）、コントローラ１４６は、貯湯タンク内の温水が不足して給湯不能となっていると判断する。この場合、ステップＳ４０に進む。このように、温水が不足して給湯不能となることを湯切れという。湯切れが起こっている状態では、貯湯タンクから給湯に伴って流出する熱量が、循環経路から貯湯タンクに流入する熱量より大きくなっている。ここで、流出する熱量は、（出湯サーミスタ５４の検出温度−給水サーミスタ２８の検出温度）×給湯水量センサ３０の検出流量で表される。また、貯湯タンク１４に流入する熱量は、（バーナ出口サーミスタ８８の検出温度−バーナ入口サーミスタ８１の検出温度）×バーナ循環流量センサ８２の検出流量で表される。
高温サーミスタ５２の検出温度が、給湯設定温度に５℃を加算した温度を上回っている場合、貯湯タンク１４からは、給湯設定温度を賄い得る温度の温水が出湯されていることとなるため、ステップＳ５０に進み、給湯栓４４が閉められるまで給湯を行う。なお、この場合も、高温サーミスタ５２の検出温度が給湯設定温度に５℃を加算した温度以下となった場合は、随時以下に説明するステップＳ４０以降の処理を行う。
【００４８】
ステップＳ４０では、コントローラ１４６は、リモコン１４８によって設定されている静音運転モードにおけるモード設定が静音優先モードであるか否か判別する。設定されているモードは静音優先モードであれば、ステップＳ４２へ進む。一方、設定されているモードが能力優先モードであれば、ステップＳ４４へ進む。
【００４９】
ステップＳ４２以降に続く処理は静音優先モードの処理である。ステップＳ４２では、コントローラ１４６は、給湯水量サーボ３２の開度を調整し、貯湯タンク１４から給湯経路４６に流出する温水の流量を減少させるように調整する。この調整により、出湯に伴って貯湯タンク１４から流出する単位時間当たりの熱量を減少させることができる。ステップＳ４２の処理を行うと、ステップＳ４６に進む。
ステップＳ４６では、コントローラ１４６は、上記ステップＳ４２において給湯流量を減少させた状態で、高温サーミスタ５２の検出温度が、給湯設定温度に５℃を加算した温度以下となっているか否かを判別する。高温サーミスタ５２の検出温度が給湯設定温度に５℃を加算した温度を上回っていれば（Ｓ４６：ＮＯ）湯切れ状態が解消されたとして、ステップＳ４８へ進む。ステップＳ４８では、コントローラ１４６は、上記ステップＳ４２で減少させた給湯流量を使用者が当初要求していた給湯流量に戻すように調整する。このステップＳ４８の調整を行うと、ステップＳ３８に戻る。高温サーミスタ５２の検出温度が、給湯設定温度に５℃を加算した温度以下の場合（Ｓ４６：ＹＥＳ）、ステップＳ５０に進む。
【００５０】
ステップＳ４４以降に続く処理は能力優先モードの処理である。ステップＳ４４では、コントローラ１４６は、静音運転モードにおいて行われていたファン７１の単位時間当たりの回転数の制限を解除し、ファン７１の単位時間当たりの回転数を最大にして運転させられるように制御する。それに伴い、バーナ７０の単位時間当たりの加熱量の最大値も、バーナ７０の能力の最大加熱量とする。即ち、静音運転モードを解除して通常運転モードと同様にファン７１及びバーナ７０を運転させるように切り換える。この処理により、バーナ７０の単位時間当たりの加熱量が増加し、その結果バーナ出口サーミスタ８８の検出温度が上がるため、貯湯タンク１４に流入する熱量を増加させることができる。ステップＳ４４の処理を行うと、ステップＳ５０に進む。
【００５１】
ステップＳ５０では、給湯水量センサ３０の検出流量が所定のオフ水量以下か否かが判別される。コントローラ１４６は、給湯水量センサ３０の検出流量がオフ水量以下となると（Ｓ５０：ＹＥＳ）、給湯栓４４が閉じられたものと判断し、ステップＳ５２に進む。一方、給湯水量センサ３０の検出流量がオフ水量以下とならなければ（Ｓ５０：ＮＯ）、コントローラ１４６は給湯栓４４が閉じられたものとは判断しない。前記オフ水量は、例えば２．０リットル/minとすることができる。ステップＳ５２において、コントローラ１４６は温水電磁弁５０を閉弁し、給湯運転は終了する。
【００５２】
なお、上記能力優先モードによる処理に伴って、静音運転モードにおける制限を解除したファン７１の単位時間当たりの回転数は、給湯運転の終了とともに、再び騒音基準回転数を超えない回転数で回転するように制限することも、そのまま制限を解除したまま通常運転モードで運転を継続することもできる。
また、上記ステップＳ４４の調整を行った後に、必要に応じて給湯流量を制限する調整を行うこともできる。その場合は湯切れ状態を一層解消しやすくなる。
【００５３】
（風呂湯張り運転）
図８、図９を参照して風呂の湯張り運転について説明する。図８は、湯張り運転におけるコージェネレーションシステムの動作の概要を示している。湯張り運転では、図８中に太線で示す経路内を温水が流通する。図９は、湯張り運転のフローチャートである。図９に示すフローに沿って、湯張り運転における動作の流れを説明する。
ステップＳ６０では、コントローラ１４６によって、給湯リモコン１４８から湯張りのオン信号が出力されたか否かが判別される。給湯リモコン１４８は、風呂の湯張りスイッチが操作されると、コントローラ１４６に湯張りのオン信号を出力する。コントローラ１４６は、湯張りのオン信号を入力すると（Ｓ６０：ＹＥＳ）、ステップＳ６２の処理に進む。
ステップＳ６２では、コントローラ１４６によって、湯張り弁１４４が開かれるとともに、温水電磁弁５０が開かれる。それにより、貯湯タンク１４内の上部に貯められていた温水が給湯経路４６に送り出され、湯張り経路１４０を経て、浴槽１２８内に供給される。続くステップＳ６４では、コントローラ１４６によって、湯張り量センサ１４２の検出流量の積算が開始される。
【００５４】
続くステップＳ６６では、コントローラ１４６は、貯湯タンク１４内の温水の熱量（以下、「貯湯タンク内熱量」とする）と、給湯に伴って要求された熱量（以下、「要求熱量」とする）を計算する。
貯湯タンク内熱量は、貯湯タンク１４に備えられた各サーミスタ１５、１６、１８、２０、２２の各検出温度と、給水サーミスタ２８が検出する給水温度と、貯湯タンク１４内の温水量から計算される。また、要求熱量は、湯張り設定温水温度と、湯張り設定温水量と、給水サーミスタ２８が検出する給水温度とから計算される。
【００５５】
前記貯湯タンク内熱量の具体的な算出方法を説明する。本実施例では、貯湯タンク１４に備えられた５つの各サーミスタ１５、１６、１８、２０、２２が、夫々貯湯タンク１４の温水量の１／５の温水の温度を検出しているとして計算を行う。従って、貯湯タンク内熱量をＱとすると、熱量Ｑは、次のＱ１〜Ｑ５の各熱量の合計として求められる。
Ｑ１＝（タンク上サーミスタ１５検出温度−給水サーミスタ２８検出温度）×貯湯タンク１４の温水量の１／５、
Ｑ２＝（第１タンクサーミスタ１６検出温度−給水サーミスタ２８検出温度）×貯湯タンク１４の温水量の１／５、
Ｑ３＝（第２タンクサーミスタ１８検出温度−給水サーミスタ２８検出温度）×貯湯タンク１４の温水量の１／５、
Ｑ４＝（第３タンクサーミスタ２０検出温度−給水サーミスタ２８検出温度）×貯湯タンク１４の温水量の１／５、
Ｑ５＝（第４タンクサーミスタ２２検出温度−給水サーミスタ２８検出温度）×貯湯タンク１４の温水量の１／５、
Ｑ＝Ｑ１＋Ｑ２＋Ｑ３＋Ｑ４＋Ｑ５、となる。
従って、例えば貯湯タンク１４内の温水量が２００リットル、タンク上サーミスタ１５検出温度が６５℃、第１タンクサーミスタ１６検出温度が６０℃、第２タンクサーミスタ１８検出温度が３５℃、第３タンクサーミスタ２０検出温度が３０℃、第４タンクサーミスタ２２検出温度が２５℃、給水サーミスタ２８検出温度が２０℃であった場合、貯湯タンク内熱量Ｑ＝（６５−２０）×４０＋（６０−２０）×４０＋（３５−２０）×４０＋（３０−２０）×４０＋（２５−２０）×４０＝４６００〔kcal〕となる。
【００５６】
前記要求熱量の具体的な算出方法を説明する。要求熱量をＱｄとすると、Ｑｄ＝（湯張り設定温水温度−給水サーミスタ２８検出温度）×湯張り設定温水温度として求められる。
従って、例えば湯張り設定温水温度が４０℃、湯張り設定温水量が２５０リットル、給水サーミスタ２８検出温度が２０℃であった場合、要求熱量Ｑｄ＝（４０−２０）×２５０＝５０００〔kcal〕となる。
【００５７】
上記ステップＳ６６で貯湯タンク内熱量と要求熱量を計算すると、ステップＳ７０に進む。ステップＳ７０では、コントローラ１４６は、貯湯タンク内熱量が要求熱量以上であるか否か判別する。貯湯タンク内熱量が要求熱量より小さい場合（Ｓ７０：ＮＯ）、コントローラ１４６は、貯湯タンク１４内には風呂の湯張りに必要な熱量は蓄えられていないと判断し、ステップＳ７２に進む。
一方、貯湯タンク内熱量が要求熱量以上であった場合（Ｓ７０：ＹＥＳ）コントローラ１４６は、貯湯タンク１４内には風呂の湯張りに必要な熱量が蓄えられていると判断し、ステップＳ７８に進み、湯張り量センサ１４２の検出流量の積算量が湯張り設定温水量に達するまで湯張りを行う。
【００５８】
ステップＳ７２では、コントローラ１４６によって、加熱運転中であるのか否かが判別される。ここにいう加熱運転とは、先に説明したバーナ部６８による加熱運転をいう。コントローラ１４６によって、加熱運転中と判断された場合（Ｓ７２：ＹＥＳ）、ステップＳ７６に進む。一方、加熱運転中でないと判断された場合（Ｓ７２：ＮＯ）、ステップＳ７４に進み、加熱運転を開始させたうえで、ステップＳ７６に進む。ここで行われる加熱運転は、静音運転モードと通常運転モードのいずれであってもよい。
【００５９】
ステップＳ７６では、コントローラ１４６は、加熱運転が行われた状態において、貯湯タンク内熱量を再度計算し、貯湯タンク内熱量が要求熱量以上であるか否か判別する。
貯湯タンク内熱量が依然として要求熱量より小さい場合（Ｓ７６：ＮＯ）、コントローラ１４６は、貯湯タンク１４内には風呂の湯張りに必要な熱量は蓄えられていないと判断し、貯湯タンク内熱量が要求熱量以上となるまで加熱運転を継続させる。
一方、貯湯タンク内熱量が要求熱量以上であった場合（Ｓ７６：ＹＥＳ）コントローラ１４６は、貯湯タンク１４内には風呂の湯張りに必要な熱量が蓄えられていると判断し、ステップＳ７８に進む。なお、図示していないが、ステップＳ７６でＹＥＳと判別された時点で、加熱運転を終了させることも継続させることも可能である。
【００６０】
ステップＳ７８では、コントローラ１４６は、湯張り量センサ１４２の検出流量の積算量が湯張り設定温水量に達したか否かを判別する。ステップＳ７８でＮＯと判別された場合、湯張り量センサ１４２の検出流量の積算量が湯張り設定温水量に達するまで湯張りを継続する。ステップＳ７８でＹＥＳと判別された場合、コントローラ１４６は、湯張り設定温水量の温水が浴槽１２８に供給されたと判断し、ステップＳ８０に進む。
ステップＳ８０では、コントローラ１４６によって、温水電磁弁５０及び湯張り弁１４４が閉じられる。以上により、湯張り運転は終了する。
【００６１】
上記においては、貯湯タンク内熱量が要求熱量より小さい場合に加熱運転を行う例について説明したが、貯湯タンク内熱量が要求熱量より小さい場合であっても加熱運転を行わず、蓄熱運転に伴って発電ユニット１５０から貯湯タンク１４に供給される熱量によって貯湯タンク内熱量が要求熱量以上になるまで貯湯タンク内の温水を加熱することもできる。
【００６２】
（その他の運転）
上記した蓄熱運転、加熱運転、給湯運転、風呂湯張り運転に加えて、本実施例のコージェネレーションシステムは、前記図示しない暖房装置や、風呂追い焚き装置を用いた暖房運転、風呂追い焚き運転を行うことができる。
【００６３】
（第２実施例）
本発明を具現化した貯湯式給湯システムを組み込んだコージェネレーションシステムの第２実施例について説明する。本実施例のコージェネレーションシステムも、その基本的な構成及び動作は上記第１実施例のコージェネレーションシステムと共通する。
上記第１実施例では、静音運転モードと通常運転モードとで、加熱運転開始及び終了の基準となる貯湯タンク１４内の温水の温度を検出する位置が第１タンクサーミスタ１６とタンク上サーミスタ１５とで異なる一方、加熱運転開始及び終了の基準となる温度は、２つの運転モード間で共通している。
しかし本実施例では、通常運転モードと静音運転モードとで、貯湯タンク１４内の温水の温度を検出する位置（サーミスタ）を共通させる。例えば、タンク上サーミスタ１５を基準とする。もっとも、基準とするサーミスタはこれには限られず、他のサーミスタであってもよい。
その一方で、静音運転モードでの加熱運転開始温度を、通常運転モードでの加熱運転開始温度より高くする。例えば、静音運転モードでは、タンク上サーミスタ１５の検出温度が給湯設定温度に１０℃を加算した温度以下となったときにバーナ７０を点火し、通常運転モードでは、タンク上サーミスタ１５の検出温度が給湯設定温度に５℃を加算した温度以下となったときにバーナ７０を点火するようにする。
また、静音運転モードでの加熱運転終了温度も、通常運転モードでの加熱運転終了温度より高くする。例えば、静音運転モードでは、タンク上サーミスタ１５の検出温度が給湯設定温度に１５℃を加算した温度以上となったときにバーナ７０を消火し、通常運転モードでは、タンク上サーミスタ１５の検出温度が給湯設定温度に１０℃を加算した温度以上となったときにバーナ７０を消火するようにする。
なお、本実施例でも、上記加熱運転開始温度、加熱運転終了温度は前記温度には限られず、任意の温度とすることができる。もっとも、安全性の確保の観点より、貯湯タンク１４内に貯湯される温水温度の上限が７５℃〜８０℃程度となる温度に設定することが好ましい。
【００６４】
（具体例２）
本実施例における静音運転モードと通常運転モードにおける加熱運転について、図１０を参照して、その具体的な事例について比較しながら説明する。
図１０は、給湯設定温度が５０℃の場合において、静音運転モードによる加熱運転が行われた場合と通常運転モードによる加熱運転が行われた場合の、タンク上サーミスタ１５の検出温度を表す図である。図１０におけるグラフの縦軸は温度〔℃〕を示し、横軸は時間〔min〕を示す。図１０において実線で示される値は、静音運転モードにおけるタンク上サーミスタ１５検出温度を示し、破線で示される値は、通常運転モードにおけるタンク上サーミスタ１５検出温度を示す。
【００６５】
（加熱運転開始）
本例の静音運転モードでは、タンク上サーミスタ１５の検出温度が給湯設定温度の５０℃に１０℃を加算した６０℃以下になる時点（図中Ｅ）でバーナ７０を点火し、加熱を開始する。一方、本例の通常運転モードでは、タンク上サーミスタ１５の検出温度が給湯設定温度の５０℃に５℃を加算した５５℃以下になる時点（図中Ｆ）でバーナ７０を点火し、加熱を開始する。
タンク上サーミスタ１５の検出温度が６０℃以下となった場合にバーナ７０を点火する静音運転モードは、タンク上サーミスタ１５の検出温度が５５℃以下となった場合にバーナ７０を点火する通常運転モードより点火のタイミングが早い。即ち、静音運転モードでは、貯湯タンク１４内に（通常運転モードに比べて）高温の温水が貯湯されている状態であっても、早めにバーナ７０を点火する。
【００６６】
（加熱運転中）
本例の静音運転モードでは、上記Ｅの時点でバーナ７０が点火される。ファン７１の単位時間当たりの回転数の上限は騒音基準回転数を超えない最大の回転数に制限されるため、ファン７１の振動音や風切り音による騒音が発生しなくなる。その一方で、バーナ７０の単位時間当たりの加熱量はファン７１の単位時間当たりの回転数にあわせた加熱量に制限される。そのため、単位時間当たりの温度上昇幅は通常運転モードの場合に比べて小さくなる。
本例の通常運転モードでは、上記Ｆの時点でバーナ７０が点火される。通常運転モードでは、ファン７１の単位時間当たりの回転数には上記制限が加えられない。即ち、バーナ７０の能力を最大限発揮して運転させることができる。そのため、単位時間当たりの温度上昇幅は静音運転モードの場合に比べて大きくなる。
即ち、静音運転モードはバーナ７０の加熱量が制限される関係上、目標とする温度に達するまでに通常運転モードに比べて長時間を要する。図１０中のＴ３、Ｔ４に示すように、静音運転モードでは、通常運転モードより長時間バーナ７０が運転されることとなる。
【００６７】
（加熱運転終了）
静音運転モードでは、タンク上サーミスタ１５の検出温度が給湯設定温度の５０℃に１５℃を加算した６５℃以上になる時点（図中Ｈ）でバーナ７０を消火し、加熱を終了する。一方、通常運転モードでは、タンク上サーミスタ１５の検出温度が給湯設定温度の５０℃に１０℃を加算した６０℃以上になる時点（図中Ｇ）でバーナ７０を消火し、加熱を終了する。
即ち、静音運転モードでは、貯湯タンク１４内に（通常運転モードに比べて）より高温の温水が貯湯されるまでバーナ７０を運転させる。静音運転モードでの加熱運転終了時点で貯湯タンク１４内に蓄えられた熱量は、通常運転モードでの加熱運転終了時点で貯湯タンク１４内に蓄えられた熱量よりも大きくなる。上記のようにして、静音運転モードでは、騒音の発生を抑えながらも利用者の給湯要求に十分応じられる熱量を貯湯タンク１４内に蓄える。
【００６８】
（第３実施例）
静音運転モードと通常運転モードとで、バーナ７０の点火及び消火の基準となる貯湯タンク１４内の温水の温度を検出する位置（サーミスタ）を異ならせるとともに、静音運転モードでの加熱運転開始の基準となる温水温度を、通常運転モードでの同温度より高くし、且つ、静音運転モードでの加熱運転終了の基準となる温水温度も、通常運転モードでの同温度より高くすることができる。
従って、例えば、次の（１）〜（３）のような各設定をすることができる。
（１）静音運転モードにおける温水温度検出位置を第１タンクサーミスタ１６にし、通常運転モードにおける温水温度検出位置をタンク上サーミスタ１５とする。
（２）静音運転モードでは、第１タンクサーミスタ１６の検出温度が給湯設定温度に１０℃を加算した温度以下となったときにバーナ７０を点火して加熱を開始する。通常運転モードでは、タンク上サーミスタ１５の検出温度が給湯設定温度に５℃を加算した温度以下となったときにバーナ７０を点火して加熱を開始する。
（３）静音運転モードでは、第１タンクサーミスタ１６の検出温度が給湯設定温度に１５℃を加算した温度以上となったときにバーナ７０を消火して加熱を終了する。通常運転モードでは、タンク上サーミスタ１５の検出温度が給湯設定温度に１０℃を加算した温度以上となったときにバーナ７０を消火して加熱を終了する。
本実施例の場合、静音運転モードにおいてバーナ部６８から貯湯タンク１４内に供給される熱量を、通常運転モードにおいてバーナ部６８から貯湯タンク１４内に供給される熱量よりも一層大きくすることができる。
【００６９】
（第４実施例）
上記各実施例では、静音運転モードにおける加熱運転終了条件と通常運転モードにおける加熱運転終了条件が異なる場合について説明したが、加熱運転の終了条件は、静音運転モードと通常運転モードとで同じであってもよい。運転モードにかかわらず、その終了条件を満たされるまで加熱運転が行われれば、貯湯タンクの上部には利用者の要求する温度の温水が十分に貯湯されていることとなる。
ただし、その場合も、上記各実施例と同様に、静音運転モードが通常運転モードより早いタイミングで加熱条件を開始させるように両モードの加熱運転開始条件を定めることが好ましい。従って、例えば、給湯設定温度が６０℃の場合に、指示されている運転モードが静音運転モードか通常運転モードかを問わず、タンク上サーミスタ１５の検出温度が７０℃以上になった場合に加熱運転を終了させることができる。
【００７０】
（第５実施例）
上記各実施例では、静音運転モードでは、運転中のファン７１の単位時間当たりの上限を騒音基準回転数を越えない回転数に制限し、その範囲内で回転数を変動させて運転を行い、通常運転モードでは、運転中のファン７１の単位時間当たりの回転数に上限を設けずに変動させて運転を行う場合について説明した。
しかし、ファン７１の運転は、上記各実施例のように所定の範囲内で単位時間当たりの回転数を変動させて運転する場合には限られず、単位時間当たりの回転数を、静音運転モードと通常運転モードとで夫々の許容最大値に維持して運転させることもできる。
従って、本実施例の静音運転モードでは、運転中のファン７１の単位時間当たりの回転数を、騒音基準回転数を超えない最大回転数に定める。この場合、バーナ７０の単位時間当たりの加熱量も、ファン７１を騒音基準回転数を超えない最大回転数で回転させた場合の加熱量とされる。また、本実施例の通常運転モードでは、運転中のファンの単位時間当たりの回転数をファンの能力の最大回転数に定める。その場合、バーナ７０の単位時間当たりの加熱量もバーナ７０の能力の最大値とされる。
本実施例のように、ファン７１の単位時間当たりの回転数を、各運転モードにおける許容最大値に維持して常時運転させる場合、バーナ７０の単位時間当たりの加熱量も各運転モードにおける許容最大値となる。温水の温度を加熱運転終了の温度まで速やかに上昇させることができる。
【００７１】
（その他の実施例）
上記各実施例では、一度リモコン１４８で設定した運転モード設定が加熱運転や給湯運転等の各運転の途中で変更されない例について説明した。しかし、加熱運転や給湯運転等の各運転の途中であっても、リモコン１４８の操作で各種運転モード設定を変更させてそのモードに応じた運転をさせることができる。従って、例えば、静音運転モードの途中で通常運転モードに切り換えたり、静音運転モードの静音優先モードを能力優先モードに切り換えたりして、利用者の意向に沿った運転を行うことができる。リモコン１４８による各種設定、即ち、加熱運転を静音運転モードと通常運転モードのいずれの運転モードで行うか、また、静音運転モードにおいて、静音優先モードと能力優先モードのいずれのモードを設定するのかは、利用者の任意のタイミングで設定及び変更を行うことができる。
【００７２】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組合せによって技術的有用性を発揮するものであり、出願時の請求項記載の組合せに限定されるものではない。また、本明細書または図面に例示した技術は、複数目的を同時に達成するものであり、そのうちの一つの目的を達成すること自体で技術的有用性を持つものである。
【符号の説明】
【００７３】
１０：給湯ユニット
１４：貯湯タンク
１５：タンク上サーミスタ
１６：第１タンクサーミスタ
１８：第２タンクサーミスタ
２０：第３タンクサーミスタ
２２：第４タンクサーミスタ
２４：給水経路
２６：減圧弁
２８：給水サーミスタ
３０：給湯水量センサ
３２：給湯水量サーボ
３４：混合サーボ
３６：混合経路
３８：排水経路
４０：排水弁
４２：圧力開放経路
４４：給湯栓
４６：給湯経路
４８：圧力逃し弁
５０：温水電磁弁
５２：高温サーミスタ
５３：負圧作動弁
５４：出湯サーミスタ
５６：熱回収循環経路、５６ａ：循環往路、５６ｂ：循環復路
５８：熱回収循環ポンプ
５９：熱回収流量センサ
６０：循環往路サーミスタ
６２：循環復路サーミスタ
６８：バーナ部
７０：バーナ
７１：ファン
７２：潜熱熱交換器
７４：顕熱熱交換器
７６：バーナ循環経路、７６ａ：循環往路、７６ｂ：循環復路
８０：バーナ循環ポンプ
８１：バーナ入口サーミスタ
８２：バーナ循環流量センサ
８４：バーナ循環流量サーボ
８８：バーナ出口サーミスタ
９２：ドレン経路
９４：中和器
１０８：熱負荷
１２８：浴槽
１４０：湯張り経路
１４２：湯張り流量センサ
１４４：湯張り弁
１４６：コントローラ
１４８：リモコン
１５０：発電ユニット
１５２：熱媒循環経路
１５４：熱回収用熱交換器
【図１】
2011007393.tif 000003
【図２】
2011007393.tif 000004
【図３】
2011007393.tif 000005
【図４】
2011007393.tif 000006
【図５】
2011007393.tif 000007
【図６】
2011007393.tif 000008
【図７】
2011007393.tif 000009
【図８】
2011007393.tif 000010
【図９】
2011007393.tif 000011
【図１０】
2011007393.tif 000012